(57)【特許請求の範囲】
【請求項１】
光ファイバケーブル（３）を分岐接続するファイバケーブル用クロージャであって、
軸線方向両端部で光ファイバケーブルを把持する分解組立可能なスリーブ（１）と、このスリーブ（１）の軸線方向に沿って配置された連結棒（２６）と、前記スリーブ内において、光ファイバケーブルから導出した光ファイバ（４）同士の光接続部（５）および接続余長（６）を収納する光接続部収納トレー（７）を複数積層状態に保持する一対のトレー保持部材（２４）と、前記連結棒（２６）に取り付けて、一対の前記トレー保持部材の一方又は両方に個別に設けられ、前記トレー保持手段を、スリーブの軸線と平行な軸線を以て回動自在に支持する回動支持手段、及び、一対の前記トレー保持部材（２４）上にそれぞれ積層された前記光接続部収納トレー（７）の積層体（２１）同士間の作業用空間（３６）を介して相手側のトレー保持部材に対して接近離間する方向に移動自在に支持する移動支持手段を有する回動支持具（２５）とを具備し、
前記回動支持具（２５）には、前記トレー保持部材（２４）に突設された回動軸（３５）が前記スリーブ（１）の軸線と平行な軸線を以て回動自在に挿入されるガイド穴（３０）が形成され、前記ガイド穴（３０）は、前記回動支持具（２５）に上下に延在する部分と、この上下延在部分の上端から前記作業用空間（３６）とは反対の側に曲がるようにして延長された曲がり延長部分とを具備し、前記曲がり延長部分が前記移動支持手段として機能し、
さらに、前記回動支持具（２５）は、前記ガイド穴（３０）を介して前記作業用空間（３６）とは反対の側に突設された支持軸（３２）が、前記トレー保持部材（２４）である回動板（２４）に突設された係合フランジ（３４）に前記回動板（２４）の面方向に平行に形成された長穴（３１）に挿入され、前記回動板（２４）を前記長穴（３１）に沿って移動自在かつスリーブ（１）の軸線と平行な軸線を以て回動自在に支持し、前記支持軸が前記回動支持手段として機能することを特徴とする光ファイバケーブル用クロージャ（２０）。
【請求項２】
前記回動支持具（２５）は、上下方向に沿って配置された一側（２７）と、連結棒（２６）上にスリーブ（１）の軸線に垂直な水平方向に沿って配置された他側（２８）とを具備するＬ字状の板材であって、前記ガイド穴（３０）が、一側（２７）から他側（２８）にわたってＬ字状に開口され、
前記一側（２７）は、前記他側（２８）から下方に延出されていることを特徴とする請求項１記載の光ファイバケーブル用クロージャ。
【請求項３】
前記回動支持具（２５）は、上下方向に沿って配置された一側（２７）と、連結棒（２６）上にスリーブ（１）の軸線に垂直な水平方向に沿って配置された他側（２８）とを具備するＬ字状の板材であって、前記ガイド穴（３０）が、一側（２７）から他側（２８）にわたってＬ字状に開口され、
前記他側（２８）の先端に前記支持軸（３２）が突設されていることを特徴とする請求項１又は２記載の光ファイバケーブル用クロージャ。
【請求項４】
光ファイバケーブル（３）を分岐接続するファイバケーブル用クロージャであって、
軸線方向両端部で光ファイバケーブルを把持する分解組立可能なスリーブ（１）と、このスリーブ（１）の軸線方向に沿って配置された連結棒（２６）と、前記スリーブ内において、光ファイバケーブルから導出した光ファイバ（４）同士の光接続部（５）および接続余長（６）を収納する光接続部収納トレー（７）を複数積層状態に保持する一対のトレー保持部材（２４）と、前記連結棒（２６）に取り付けて、一対の前記トレー保持部材の一方又は両方に個別に設けられ、前記トレー保持手段を、スリーブの軸線と平行な軸線を以て回動自在に支持する回動支持手段、及び、一対の前記トレー保持部材（２４）上にそれぞれ積層された前記光接続部収納トレー（７）の積層体（２１）同士間の作業用空間（３６）を介して相手側のトレー保持部材に対して接近離間する方向に移動自在に支持する移動支持手段を有する回動支持具（５０）とを具備し、
前記回動支持具（５０）には、前記トレー保持部材（２４）に突設された回動軸（３５）が前記スリーブ（１）の軸線と平行な軸線を以て回動自在に挿入されるガイド穴（５１）が形成され、前記ガイド穴（５１）は、前記回動支持具（５０）に上下に延在する部分と、この上下延在部分の上端から前記作業用空間（３６）とは反対の側に曲がるようにして延長された曲がり延長部分とを具備し、
さらに、前記回動支持具（２５）の、前記ガイド穴（３０）から前記作業用空間（３６）とは反対の側には、前記トレー保持部材（２４）に螺着されたネジ（５２）を移動自在にガイドして、トレー保持部材（２４）を水平方向にスライド移動させつつ回動させるためのネジガイド穴（５３）が形成され、前記ネジガイド穴（５３）を介してトレー保持部材（２４）に螺着された前記ネジ（５２）の締め付けによってトレー保持部材（２４）を目的位置で保持できることを特徴とする光ファイバケーブル用クロージャ（２０）。
【請求項５】
前記回動支持具（５０）が、前記連結棒（２６）の下側に取り付けられていることを特徴とする請求項４記載の光ファイバケーブル用クロージャ。
【発明の詳細な説明】
【０００１】
【発明の属する技術分野】
本発明は、光ファイバケーブルを分岐接続する光ファイバケーブル用クロージャに関する。
【０００２】
【従来の技術】
図４および図５は、従来の光ファイバケーブル用クロージャであって、二つ割りに分割可能な円筒状スリーブ１の軸線方向両端部にそれぞれ設置した把持金具２によって光ファイバケーブル３を把持するとともに、把持した一対の光ファイバケーブル３のそれぞれから導出した光ファイバ４を光接続部５を介して接続し、光接続部５およびその接続余長６を薄板状に形成された複数枚の光接続部収納トレー７内に整理して収納している。前記光接続部収納トレー７は、スリーブ１中央部に２つ並行に設置した支持金具８のトレー支持板９上に積層され、支持金具８によってトレー支持板９とともにスリーブ１の軸線と平行な軸線を以て回動自在に支持されるようになっている。
【０００３】
前記支持金具８は、図５および図６に示すように、それぞれスリーブ１軸方向両端の把持金具２間を連結する連結板１０に固定された支持金具本体１１と、前記トレー支持板９と、支持金具本体１１のスリーブ１の側部に臨む側板１２に設けられ、トレー支持板９をスリーブ１の軸線と平行な軸線を以て回動自在に支持するヒンジ１３と、トレー支持板９の回動を規制可能な規制金具１４とを備えている。規制金具１４は、ネジ１５の締め付け力によって側板１２に対して着脱されるようになっている。支持金具本体１１に装着された規制金具１４の上部は、ヒンジ１３から突出されたトレー支持板９の当接部１６が当接されることにより、トレー支持板９の回動を一定の範囲に規制するようになっている。また、支持金具８は、規制金具１４を支持金具本体１１から離脱しておけば、トレー支持板９を自由に回動することができるようになっている。
【０００４】
トレー支持板９上に積層されて互いに隣接する光接続部収納トレー７のスリーブ１の側部に臨む一側部同士は、図示しない回動連結手段によってヒンジ１３の回動軸線と平行な軸線を以て相対回動可能に連結されている（図７、図８参照）。また、隣接する光接続部収納トレー７の他側部同士は、一方の光接続部収納トレー７に突設された係合爪１７と、他方の光接続部収納トレー７に形成された係止部１８とを手動で係脱することにより、前記回動連結手段を中心として回動して開閉されるようになっている。光接続部５としては、光コネクタ等が適用される。
光コネクタにおいて光ファイバ４の接続切り替え等を行うために目的の光接続部収納トレー７について作業を行う場合には、図７および図８に示すように、ヒンジ１３を中心として光接続部収納トレー７を回動した後、回動連結手段を中心として目的の光接続部収納トレー７の上側の光接続部収納トレー７を外側に回動して目的の光接続部収納トレー７の作業面を露出させる。
【０００５】
【発明が解決しようとする課題】
ところで、前記のような光ファイバケーブル用クロージャの場合、ヒンジ１３を中心とする回動量に限界があるために、例えば、図５および図７に示すように、異なるトレー支持板９に積層した光接続部収納トレー７の積層体間に十分な作業空間を確保することができず、接続切り替え等の作業性が低くなっていた。すなわち、係合爪１７と係止部１８との係脱作業を二つの光接続部収納トレー７の積層体２１間で行うので、特にトレー支持板９の近傍ではトレー支持板９の回動量を大きくしても十分な作業空間の確保が難しく、係合爪１７と係止部１８との係脱作業の作業性が悪くなるといった問題が生じていた。
また、既設の光接続部収納トレー７の積層体２１に隣接して別の光接続部収納トレー７の積層体２１を増設可能な光ファイバケーブル用クロージャでは、一般に既設の光接続部収納トレー７の積層体２１が固定になっているので、前記問題が一層顕著になる。
【０００６】
本発明は、前述の課題に鑑みてなされたもので、光接続部収納トレーにおける光ファイバの接続切り替え等の作業能率が向上する光ファイバケーブル用クロージャを提供することを目的とするものである。
【０００７】
【課題を解決するための手段】
本発明の光ファイバケーブル用クロージャでは、前記課題を解決するため、以下の解決手段を提供する。
請求項１に係る発明は、光ファイバケーブル（３）を分岐接続するファイバケーブル用クロージャであって、軸線方向両端部で光ファイバケーブルを把持する分解組立可能なスリーブ（１）と、このスリーブ（１）の軸線方向に沿って配置された連結棒（２６）と、前記スリーブ内において、光ファイバケーブルから導出した光ファイバ（４）同士の光接続部（５）および接続余長（６）を収納する光接続部収納トレー（７）を複数積層状態に保持する一対のトレー保持部材（２４）と、前記連結棒（２６）に取り付けて、一対の前記トレー保持部材の一方又は両方に個別に設けられ、前記トレー保持手段を、スリーブの軸線と平行な軸線を以て回動自在に支持する回動支持手段、及び、一対の前記トレー保持部材（２４）上にそれぞれ積層された前記光接続部収納トレー（７）の積層体（２１）同士間の作業用空間（３６）を介して相手側のトレー保持部材に対して接近離間する方向に移動自在に支持する移動支持手段を有する回動支持具（２５）とを具備し、
前記回動支持具（２５）には、前記トレー保持部材（２４）に突設された回動軸（３５）が前記スリーブ（１）の軸線と平行な軸線を以て回動自在に挿入されるガイド穴（３０）が形成され、前記ガイド穴（３０）は、前記回動支持具（２５）に上下に延在する部分と、この上下延在部分の上端から前記作業用空間（３６）とは反対の側に曲がるようにして延長された曲がり延長部分とを具備し、前記曲がり延長部分が前記移動支持手段として機能し、
さらに、前記回動支持具（２５）は、前記ガイド穴（３０）を介して前記作業用空間（３６）とは反対の側に突設された支持軸（３２）が、前記トレー保持部材（２４）である回動板（２４）に突設された係合フランジ（３４）に前記回動板（２４）の面方向に平行に形成された長穴（３１）に挿入され、前記回動板（２４）を前記長穴（３１）に沿って移動自在かつスリーブ（１）の軸線と平行な軸線を以て回動自在に支持し、前記支持軸が前記回動支持手段として機能することを特徴とする光ファイバケーブル用クロージャ（２０）を提供する。
請求項２に係る発明は、前記回動支持具（２５）は、上下方向に沿って配置された一側（２７）と、連結棒（２６）上にスリーブ（１）の軸線に垂直な水平方向に沿って配置された他側（２８）とを具備するＬ字状の板材であって、前記ガイド穴（３０）が、一側（２７）から他側（２８）にわたってＬ字状に開口され、
前記一側（２７）は、前記他側（２８）から下方に延出されていることを特徴とする請求項１記載の光ファイバケーブル用クロージャを提供する。
請求項３に係る発明は、前記回動支持具（２５）は、上下方向に沿って配置された一側（２７）と、連結棒（２６）上にスリーブ（１）の軸線に垂直な水平方向に沿って配置された他側（２８）とを具備するＬ字状の板材であって、前記ガイド穴（３０）が、一側（２７）から他側（２８）にわたってＬ字状に開口され、
前記他側（２８）の先端に前記支持軸（３２）が突設されていることを特徴とする請求項１又は２記載の光ファイバケーブル用クロージャを提供する。
請求項４に係る発明は、光ファイバケーブル（３）を分岐接続するファイバケーブル用クロージャであって、
軸線方向両端部で光ファイバケーブルを把持する分解組立可能なスリーブ（１）と、このスリーブ（１）の軸線方向に沿って配置された連結棒（２６）と、前記スリーブ内において、光ファイバケーブルから導出した光ファイバ（４）同士の光接続部（５）および接続余長（６）を収納する光接続部収納トレー（７）を複数積層状態に保持する一対のトレー保持部材（２４）と、前記連結棒（２６）に取り付けて、一対の前記トレー保持部材の一方又は両方に個別に設けられ、前記トレー保持手段を、スリーブの軸線と平行な軸線を以て回動自在に支持する回動支持手段、及び、一対の前記トレー保持部材（２４）上にそれぞれ積層された前記光接続部収納トレー（７）の積層体（２１）同士間の作業用空間（３６）を介して相手側のトレー保持部材に対して接近離間する方向に移動自在に支持する移動支持手段を有する回動支持具（５０）とを具備し、
前記回動支持具（５０）には、前記トレー保持部材（２４）に突設された回動軸（３５）が前記スリーブ（１）の軸線と平行な軸線を以て回動自在に挿入されるガイド穴（５１）が形成され、前記ガイド穴（５１）は、前記回動支持具（５０）に上下に延在する部分と、この上下延在部分の上端から前記作業用空間（３６）とは反対の側に曲がるようにして延長された曲がり延長部分とを具備し、
さらに、前記回動支持具（２５）の、前記ガイド穴（３０）から前記作業用空間（３６）とは反対の側には、前記トレー保持部材（２４）に螺着されたネジ（５２）を移動自在にガイドして、トレー保持部材（２４）を水平方向にスライド移動させつつ回動させるためのネジガイド穴（５３）が形成され、前記ネジガイド穴（５３）を介してトレー保持部材（２４）に螺着された前記ネジ（５２）の締め付けによってトレー保持部材（２４）を目的位置で保持できることを特徴とする光ファイバケーブル用クロージャ（２０）を提供する。
請求項５に係る発明は、前記回動支持具（５０）が、前記連結棒（２６）の下側に取り付けられていることを特徴とする請求項４記載の光ファイバケーブル用クロージャを提供する。
【０００８】
【発明の実施の形態】
以下本発明の光ファイバケーブル用クロージャの実施の形態を、図１および図２を参照して説明する。なお、図中、図４から図８と同一の構成部分には同一の符号を付し、その説明を簡略化する。
図中符号２０は、本実施の形態の光ファイバケーブル用クロージャである。前記光ファイバケーブル用クロージャ２０は、図４から図８の支持金具８にかえて符号２５の回動支持具、トレー支持板９にかえて符号２４の回動板を設置したものである。光ファイバケーブル用クロージャ２０は、図１および図２に示すように、スリーブ１（図４参照）内において、光ファイバケーブル３から導出した光ファイバ４同士の光接続部５および接続余長６を収納する光接続部収納トレー７を複数積層状態に保持するトレー保持部材としての回動板２４と、該回動板２４をスリーブ１の軸線と平行な軸線を以て回動しつつ、スリーブ１の軸線に対して接近離間する方向に移動自在に支持する回動支持具２５とを具備している。
【０００９】
回動支持具２５は、スリーブ１の軸線方向に沿って２本並行配置した各連結棒２６の軸方向両端部にそれぞれ取り付けられている。同一の連結棒２６に取り付けられた回動支持具２５は、回動板２４をスリーブ１の軸線と平行な軸線を以て回動しつつ、隣接する相手側の連結棒２６に対して接近離間する方向に移動自在に支持する組を構成している。回動支持具２５は、Ｌ字状の板材であって、一側２７が連結棒２６の隣接する相手側の連結棒２６に臨む側部において上下（図１上下）方向に沿って配置され、他側２８が連結棒２６上にスリーブ１の軸線に垂直な水平方向に沿って配置されている。回動支持具２５には、回動板２４に突設された係合脚部２９が移動自在に挿入されることにより、該係合脚部２９をスリーブ１の軸線と平行な軸線を以て回動自在に支持するガイド穴３０が、一側２７から他側２８にわたってＬ字状に開口されている。他側２８のスリーブ１側壁部に臨む先端には、回動板２４に形成された長穴３１に移動自在かつスリーブ１の軸線と平行な軸線を以て回動自在に挿入される支持軸３２が突設されている。
【００１０】
回動板２４は、長手方向をスリーブ１の軸線と平行として配置され、上面３４上に前記光接続部収納トレー７が複数枚積層される長方形板状の本体３３と、本体３３の長手方向両端部において裏面側に突設された前記係合脚部２９と、本体３３の裏面側に突設されて前記長穴３１が開口されてなる係合フランジ３４とを具備している。係合脚部２９の突出先端には、ガイド穴３０に移動自在かつスリーブ１の軸線と平行な軸線を以て回動自在に挿入される回動軸３５が突設されている。長穴３１は、回動板２４の面方向と平行に形成されている。
各連結棒２６上の回動板２４および該回動板２４上に積層した光接続部収納トレー７の積層体２１の間には、光接続部収納トレー７の係合爪１７と係止部１８を係脱するための作業用空間３６が形成されるようになっている。
【００１１】
以下、本実施の形態の光ファイバケーブル用クロージャ２０の作用および効果を説明する。
光ファイバケーブル用クロージャ２０は、回動板２４を作業用空間３６の外側に回動することにより、回動板２４がスリーブ１の軸線と平行な軸線を以て外側に回動しつつ、スリーブ１の軸線に対して離間する方向にスライド移動するので、従来の光ファイバケーブル用クロージャに比して大きい作業用空間３６が得られるようになっている。
【００１２】
回動板２４を作業用空間３６の外側に回動するには、回動軸３５を、ガイド穴３０内を回動支持具２５の一側２７から他側２８へ移動する。回動軸３５が前記一側２７を移動している時には、回動板２４の作業用空間３６に臨む端部が支持軸３２を中心とする円周にほぼ沿って回動する。ここで、支持軸３２は、回動支持手段として機能する。
【００１３】
続いて、回動軸３５がガイド穴３０内を回動支持具２５の他側２８に移動すれば、回動軸３５が作業用空間３６の外方に移動つつ、回動角度を増大する。ここで、ガイド穴３０の回動支持具２５の他側２８に形成された部分は、移動支持手段として機能する。このとき、回動板２４の水平変位量は、回動支持具２５の他側２８におけるガイド穴３０の長さと長穴３１の長さによって決定される。回動軸３５が回動支持具２５の他側２８に進入した時には、回動板２４の急回動が防止されるので、回動角度を固定する固定手段を設置する必要は無い。
逆に、外側に回動した回動板２４を元の状態に収納するには、回動板２４を作業用空間３６方向に押し込んで、回動軸３５をガイド穴３０内を回動支持具２５の他側２８から一側２７に進入させるだけでよい。
【００１４】
したがって、本実施の形態の光ファイバケーブル用クロージャ２０によれば、回動板２４を作業用空間３６の外側に回動した際に、回動板２４が作業用空間３６の外側への水平変位を伴って移動して、単なる回動のみに頼る従来例に比して大きい作業用空間３６が容易に得られる上、回動板２４に近い光接続部収納トレー７の開閉作業の作業性が特に改善されるので、光接続部収納トレー７内に収納した光ファイバ４の接続切り替え等の作業能率が向上する。
【００１５】
なお、本実施の形態では、二つの連結板２６の双方に本願発明のトレー保持部材としての回動板２４および回動支持具２５を適用した例を示したが、一方の連結板２６にのみ適用することも可能である。この場合、回動板２４および回動支持具２５を適用していない連結板２６側の光接続部収納トレー７を固定あるいは従来例の支持金具等で支持したとしても、双方の光接続部収納トレー７の積層体２１の間に十分な作業用空間を形成することができる。また、本発明の光ファイバケーブル用クロージャは、内装する光接続部収納トレー７の積層体２１が一つのみの光ファイバケーブル用クロージャにも適用することができる。
回動支持手段と移動支持手段は、連結棒以外の構造材に取り付けるようにしてもよい。回動支持手段と移動支持手段とは、それぞれ随時単独でトレー保持部材を回動または移動できる構成としてもよい。
トレー保持部材としては、積層した光接続部収納トレー７を囲繞する構造や、内装する構造等であってもよい。
【００１６】
移動支持手段としては、図３に示すように連結棒２６の下側から取り付ける回動支持具５０を適用することもできる。前記回動支持具５０には、回動板２４の回動軸３５をガイドする回動軸ガイド穴５１と、回動板２４のスリーブ１側壁部に臨む端部に螺着されるネジ５２を移動自在にガイドするネジガイド穴５３とが形成されている。回動軸ガイド穴５１とネジガイド穴５３とは、回動板２４を水平方向にスライド移動させつつ回動させる形状になっている。したがって、回動支持具５０は、特許請求の範囲記載の回動支持手段および移動支持手段としての機能を併せ持っている。
【００１７】
ネジ５２は、回動支持具５０の外側からネジガイド穴５３を介して回動板２４に螺着されるので、締め付けた時に回動板２４を目的位置で保持することができるようになっている。また、ネジ５２は、手動で螺着、螺着解除することができるようになっているので、作業者が一方の手で回動板２４を回動させつつ他方の手でネジ５２を操作することにより、回動板２４を目的の角度で保持することが容易になされる。
【００１８】
前記回動支持具５０を適用した場合には、該回動支持具５０が連結棒２６の上側への突出量が少ないので、光接続部収納トレー７等に配線される光ファイバ４との干渉が防止される。その結果、光ファイバ４の配線位置の自由度が向上するとともに、回動板２４の回動時に光ファイバ４の曲げ等を防止して光通信に影響を与えること無く接続切替等の作業を行うことができる。
【００１９】
【発明の効果】
以上説明したように、本発明の光ファイバケーブル用クロージャによれば、軸線方向両端部で光ファイバケーブルを把持する分解組立可能なスリーブと、該スリーブ内において、光ファイバケーブルから導出した光ファイバ同士の光接続部および接続余長を収納する光接続部収納トレーを複数積層状態に保持するトレー保持部材と、該トレー保持部材をスリーブの軸線と平行な軸線を以て回動自在に支持する回動支持手段と、トレー保持部材をスリーブの軸線に対して接近離間する方向に移動自在に支持する移動支持手段とを具備し、トレー保持部材を外側に回動した際に、移動支持手段の作用によってトレー保持部材がスリーブ軸線に接近離間する方向への変位を伴って移動するようにしたので、単なる回動のみに頼る従来例に比して大きい作業用空間が容易に得られる上、回動支持手段による回動軸線に近い光接続部収納トレーの開閉作業の作業性が特に改善され、光接続部収納トレー内に収納した光ファイバの接続切り替え等の作業能率が向上する。
【図面の簡単な説明】
【図１】  本発明の光ファイバケーブル用クロージャの実施の形態を示す図であって、光ファイバケーブル用クロージャを示す斜視図である。
【図２】  図１の光ファイバケーブル用クロージャの回動支持具および回動板を示す分解斜視図である。
【図３】  回動支持具の他の態様を示す斜視図である。
【図４】  従来例の光ファイバケーブル用クロージャを適用した光ファイバケーブル用クロージャを示す平面図である。
【図５】  図３の光ファイバケーブル用クロージャを示す側面図である。
【図６】  図３の光ファイバケーブル用クロージャの支持金具を示す拡大斜視図である。
【図７】  図３の光ファイバケーブル用クロージャ内に収納する光接続部収納トレーを示す斜視図である。
【図８】  図３の光ファイバケーブル用クロージャの作用を示す斜視図である。
【符号の説明】
１…スリーブ、３…光ファイバケーブル、５…光接続部、６…接続余長、７…光接続部収納トレー、２０…光ファイバケーブル用クロージャ、２４…トレー保持部材（回動板）、２５…回動支持手段、移動支持手段（回動支持具）、３０…移動支持手段（ガイド穴）、３２…回動支持手段（支持軸）、５０…回動支持手段、移動支持手段（回動支持具）。
【図１】
0003859755.tif 000002
【図２】
0003859755.tif 000003
【図３】
0003859755.tif 000004
【図４】
0003859755.tif 000005
【図５】
0003859755.tif 000006
【図６】
0003859755.tif 000007
【図７】
0003859755.tif 000008
【図８】
0003859755.tif 000009